(57)【要約】【課題】１つの動作によって、感光ドラムを中間転写ベルトに接触させた後に、現像ローラを感光ドラムに接触させることができる画像形成装置を提供する。【解決手段】画像形成装置は、本体筐体と、カバーと、ドラムカートリッジ４０と、現像カートリッジ５０と、中間転写ベルト６３と、移動カム１１０とを備える。移動カムは、カバーが開位置に位置するとき第１位置に位置し、カバーが開位置から閉位置に移動する間に第２位置に位置し、カバーが閉位置に位置するとき第３位置に位置する。移動カムが第１位置に位置するとき、感光ドラム４１が中間転写ベルト６３から離間し、現像ローラ５１が感光ドラム４１から離間する。移動カムが第２位置に位置するとき、感光ドラムが中間転写ベルトと接触し、現像ローラが感光ドラムから離間する。移動カムが第３位置に位置するとき、感光ドラムが中間転写ベルトと接触し、現像ローラが感光ドラムと接触する。【選択図】図６
2020144302.tif 000002
【特許請求の範囲】
【請求項１】
開口を有する本体筐体と、
前記開口を開く開位置と前記開口を閉じる閉位置との間を移動可能なカバーと、
第１方向に延びる第１軸について回転可能な感光ドラムを有するドラムカートリッジであって、前記第１方向に前記本体筐体に着脱可能なドラムカートリッジと、
前記第１方向に延びる第２軸について回転可能な現像ローラを有する現像カートリッジであって、前記第１方向に前記本体筐体に着脱可能な現像カートリッジと、
前記ドラムカートリッジおよび前記現像カートリッジが前記本体筐体に装着された状態において、前記ドラムカートリッジおよび前記現像カートリッジの上方に位置する中間転写ベルトと、
前記ドラムカートリッジおよび前記現像カートリッジが前記本体筐体に装着された状態において、前記ドラムカートリッジおよび前記現像カートリッジの下方に位置する移動カムであり、前記カバーが前記開位置に位置するとき第１位置に位置し、前記カバーが前記開位置から前記閉位置に移動する間に第２位置に位置し、前記カバーが前記閉位置に位置するとき第３位置に位置する移動カムと、を備え、
前記移動カムが前記第１位置に位置するとき、前記感光ドラムが、前記中間転写ベルトから離間し、前記現像ローラが、前記感光ドラムから離間し、
前記移動カムが前記第２位置に位置するとき、前記感光ドラムが、前記中間転写ベルトと接触し、前記現像ローラが、前記感光ドラムから離間し、
前記移動カムが前記第３位置に位置するとき、前記感光ドラムが、前記中間転写ベルトと接触し、前記現像ローラが、前記感光ドラムと接触することを特徴とする画像形成装置。
【請求項２】
前記ドラムカートリッジは、前記ドラムカートリッジおよび前記現像カートリッジが前記本体筐体に装着された状態において、前記第１方向と交差する第２方向において前記現像カートリッジと並ぶことを特徴とする請求項１に記載の画像形成装置。
【請求項３】
前記移動カムは、前記カバーの前記開位置から前記閉位置への移動に伴い、前記第１方向に移動可能であることを特徴とする請求項１または請求項２に記載の画像形成装置。
【請求項４】
前記本体筐体は、第１リフトと第２リフトを備え、
前記第１リフトは、前記移動カムと係合して、前記ドラムカートリッジを上方に移動させ、
前記第２リフトは、前記移動カムと係合して、前記現像カートリッジを上方に移動させることを特徴とする請求項１から請求項３のいずれか一項に記載の画像形成装置。
【請求項５】
前記第１リフトは、前記移動カムと接触する第１ドラム接触部を備え、
前記移動カムは、
前記第１方向に延びる第１ドラム離間面と、
前記第１ドラム離間面から前記中間転写ベルトに向けて延びる第１ドラム傾斜面であって、前記第１方向に対して傾斜する第１ドラム傾斜面と、
前記第１ドラム傾斜面から前記第１方向に延びる第１ドラム接触面であって、上下方向において前記第１ドラム離間面よりも前記中間転写ベルトに近い第１ドラム接触面と、を有し、
前記第１ドラム傾斜面は、前記第１方向において、前記第１ドラム離間面と前記第１ドラム接触面の間に位置し、
前記移動カムが前記第１位置に位置するとき、前記第１ドラム接触部が、前記第１ドラム離間面に接触し、
前記移動カムが前記第１位置から前記第２位置に移動する間に、前記第１ドラム接触部が、前記第１ドラム傾斜面に接触し、
前記移動カムが前記第２位置および前記第３位置に位置するとき、前記第１ドラム接触部が、前記第１ドラム接触面に接触することを特徴とする請求項４に記載の画像形成装置。
【請求項６】
前記第２リフトは、前記移動カムと接触する第１現像接触部を備え、
前記移動カムは、
前記第１方向に延びる第１現像離間面と、
前記第１現像離間面から前記中間転写ベルトに向けて延びる第１現像傾斜面であって、前記第１方向に対して傾斜する第１現像傾斜面と、
前記第１現像傾斜面から前記第１方向に延びる第１現像接触面であって、前記上下方向において前記第１現像離間面よりも前記中間転写ベルトに近い第１現像接触面と、を有し、
前記第１現像傾斜面は、前記第１方向において、前記第１現像離間面と前記第１現像接触面の間に位置し、
前記移動カムが前記第１位置に位置するとき、前記第１現像接触部が、前記第１現像離間面に接触し、
前記移動カムが前記第１位置から前記第３位置に移動する間に、前記第１現像接触部が、前記第１現像傾斜面に接触し、
前記移動カムが前記第３位置に位置するとき、前記第１現像接触部が、前記第１現像接触面に接触することを特徴とする請求項５に記載の画像形成装置。
【請求項７】
前記移動カムが前記第１位置から前記第３位置に向かって移動する移動方向において、前記第１ドラム接触面の下流端は、前記第１現像接触面の下流端よりも下流側に位置することを特徴とする請求項６に記載の画像形成装置。
【請求項８】
前記移動カムは、
前記第１方向において前記第１ドラム離間面と離れて位置する第２ドラム離間面と、
前記第２ドラム離間面から前記中間転写ベルトに向けて延びる第２ドラム傾斜面であって、前記第１方向に対して傾斜するとともに、前記第１方向において前記第１ドラム傾斜面と離れて位置する第２ドラム傾斜面と、
前記第２ドラム傾斜面から前記第１方向に延びる第２ドラム接触面であって、前記上下方向において前記第２ドラム離間面よりも前記中間転写ベルトに近い第２ドラム接触面であり、前記第１方向において前記第１ドラム接触面と離れて位置する第２ドラム接触面と、を有し、
前記第２ドラム傾斜面は、前記第１方向において、前記第２ドラム離間面と前記第２ドラム接触面の間に位置し、
前記第１リフトは、前記移動カムと接触する第２ドラム接触部であって、前記第１方向において前記第１ドラム接触部と離れて位置する第２ドラム接触部を備え、
前記移動カムが前記第１位置に位置するとき、前記第２ドラム接触部が、前記第２ドラム離間面に接触し、
前記移動カムが前記第１位置から前記第２位置に移動する間に、前記第２ドラム接触部が、前記第２ドラム傾斜面に接触し、
前記移動カムが前記第２位置および前記第３位置に位置するとき、前記第２ドラム接触部が、前記第２ドラム接触面に接触することを特徴とする請求項７に記載の画像形成装置。
【請求項９】
前記移動カムは、
前記第１方向において前記第１現像離間面と離れて位置する第２現像離間面と、
前記第２現像離間面から前記中間転写ベルトに向けて延びる第２現像傾斜面であって、前記第１方向に対して傾斜するとともに、前記第１方向において前記第１現像傾斜面と離れて位置する第２現像傾斜面と、
前記第２現像傾斜面から前記第１方向に延びる第２現像接触面であって、前記上下方向において前記第２現像離間面よりも前記中間転写ベルトに近い第２現像接触面であり、前記第１方向において前記第１現像接触面と離れて位置する第２現像接触面と、を有し、
前記第２現像傾斜面は、前記第１方向において、前記第２現像離間面と前記第２現像接触面の間に位置し、
前記第２リフトは、前記移動カムと接触する第２現像接触部であって、前記第１方向において前記第１現像接触部と離れて位置する第２現像接触部を備え、
前記移動カムが前記第１位置に位置するとき、前記第２現像接触部が、前記第２現像離間面に接触し、
前記移動カムが前記第１位置から前記第３位置に移動する間に、前記第２現像接触部が、前記第２現像傾斜面に接触し、
前記移動カムが前記第３位置に位置するとき、前記第２現像接触部が、前記第２現像接触面に接触することを特徴とする請求項８に記載の画像形成装置。
【請求項１０】
前記移動カムが前記第１位置から前記第３位置に向かって移動する移動方向において、前記第２ドラム接触面の下流端は、前記第２現像接触面の下流端よりも下流側に位置することを特徴とする請求項９に記載の画像形成装置。
【請求項１１】
前記第１リフトは、
前記第１方向に延び、前記ドラムカートリッジをガイドするためのドラムガイド突起と、
前記第１方向に延び、前記現像カートリッジをガイドするための現像ガイド突起と、を有し、
前記ドラムカートリッジは、前記ドラムガイド突起にガイドされるドラム溝を有し、
前記現像カートリッジは、前記現像ガイド突起にガイドされる現像溝を有することを特徴とする請求項４から請求項１０のいずれか一項に記載の画像形成装置。
【請求項１２】
前記現像ガイド突起は、ガイド孔を有し、
前記第２リフトは、前記ガイド孔内を移動可能であることを特徴とする請求項１１に記載の画像形成装置。
【請求項１３】
用紙を排紙するための排紙部であって、前記中間転写ベルトよりも上方に位置する排紙部を備えることを特徴とする請求項１から請求項１２のいずれか一項に記載の画像形成装置。
【請求項１４】
用紙を給紙するための給紙部であって、前記移動カムよりも下方に位置する給紙部を備えることを特徴とする請求項１から請求項１３のいずれか一項に記載の画像形成装置。
【発明の詳細な説明】
【技術分野】
【０００１】
本開示は、本体筐体に着脱可能なドラムカートリッジおよび現像カートリッジを備える画像形成装置に関する。
【背景技術】
【０００２】
従来、本体筐体にドラムカートリッジおよび現像カートリッジを個別に着脱可能な画像形成装置が知られている（特許文献１参照）。この技術では、ドラムカートリッジおよび現像カートリッジは、感光ドラムの軸方向に着脱可能となっている。
【先行技術文献】
【特許文献】
【０００３】
【特許文献１】特開２０１８−７７４５９号公報
【発明の概要】
【発明が解決しようとする課題】
【０００４】
特許文献１に開示された構成では、ドラムカートリッジを画像形成装置の本体筐体に装着する際に、感光ドラムが中間転写ベルトと接触してしまい、感光ドラムおよび中間転写ベルトが損傷してしまうことを抑制するために、ドラムカートリッジを本体筐体に装着する際には、感光ドラムは、中間転写ベルトと離間している。そして、ドラムカートリッジが本体筐体に装着された状態において、カバーを開位置から閉位置に移動すると、ドラムカートリッジが中間転写ベルトに対して移動し、感光ドラムが中間転写ベルトと接触する。
また、現像カートリッジを本体筐体に装着する際に、現像ローラと感光ドラムが接触してしまい、現像ローラおよび感光ドラムが損傷してしまうことを抑制するために、現像カートリッジを本体筐体に装着する際には、現像ローラは、感光ドラムから離間している。そして、ドラムカートリッジおよび現像カートリッジが本体筐体に装着された状態において、ユーザがカバーを開位置から閉位置に移動させた後に、本体筐体内のモータおよびカムが現像カートリッジをドラムカートリッジに対して移動させ、現像ローラが感光ドラムと接触する。
【０００５】
そのため、画像形成装置が画像形成動作を開始するまでに、ユーザがカバーを開位置から閉位置に位置させて、ドラムカートリッジを中間転写ベルトに対して移動させ、感光ドラムを中間転写ベルトに接触させる第１動作と、ユーザがカバーを開位置から閉位置に位置させた後に、モータおよびカムが現像カートリッジを感光ドラムに対して移動させ、現像ローラを感光ドラムに接触させる第２動作の２つの動作が必要であった。
【０００６】
本開示は、モータを使用することなく、ユーザがカバーを開位置から閉位置に位置させる１つの動作によって、ドラムカートリッジを中間転写ベルトに対して移動させ、感光ドラムを中間転写ベルトに接触させた後に、現像カートリッジをドラムカートリッジに対して移動させ、現像ローラを感光ドラムに接触させることができる画像形成装置を提供することを目的とする。
【課題を解決するための手段】
【０００７】
前記課題を解決するため、本開示に係る画像形成装置は、開口を有する本体筐体と、前記開口を開く開位置と前記開口を閉じる閉位置との間を移動可能なカバーと、ドラムカートリッジと、現像カートリッジと、中間転写ベルトと、移動カムとを備える。
ドラムカートリッジは、第１方向に延びる第１軸について回転可能な感光ドラムを有し、前記第１方向に前記本体筐体に着脱可能である。
現像カートリッジは、前記第１方向に延びる第２軸について回転可能な現像ローラを有し、前記第１方向に前記本体筐体に着脱可能である。
中間転写ベルトは、前記ドラムカートリッジおよび前記現像カートリッジが前記本体筐体に装着された状態において、前記ドラムカートリッジおよび前記現像カートリッジの上方に位置する。
移動カムは、前記ドラムカートリッジおよび前記現像カートリッジが前記本体筐体に装着された状態において、前記ドラムカートリッジおよび前記現像カートリッジの下方に位置する。そして、前記カバーが前記開位置に位置するとき第１位置に位置し、前記カバーが前記開位置から前記閉位置に移動する間に第２位置に位置し、前記カバーが前記閉位置に位置するとき第３位置に位置する。
前記移動カムが前記第１位置に位置するとき、前記感光ドラムが、前記中間転写ベルトから離間し、前記現像ローラが、前記感光ドラムから離間する。
前記移動カムが前記第２位置に位置するとき、前記感光ドラムが、前記中間転写ベルトと接触し、前記現像ローラが、前記感光ドラムから離間する。
そして、前記移動カムが前記第３位置に位置するとき、前記感光ドラムが、前記中間転写ベルトと接触し、前記現像ローラが、前記感光ドラムと接触する。
【０００８】
この構成によれば、中間転写ベルトに対するドラムカートリッジの移動による中間転写ベルトと感光ドラムとの接触と、ドラムカートリッジに対する現像カートリッジの移動による感光ドラムと現像ローラとの接触を、モータを使用することなく、ユーザがカバーを開位置から閉位置に位置させる１つの動作によって実現することができる。
【０００９】
前記した画像形成装置において、前記ドラムカートリッジは、前記ドラムカートリッジおよび前記現像カートリッジが前記本体筐体に装着された状態において、前記第１方向と交差する第２方向において前記現像カートリッジと並ぶように構成してもよい。
また、前記した画像形成装置において、前記移動カムは、前記カバーの前記開位置から前記閉位置への移動に伴い、前記第１方向に移動可能となるように構成してもよい。
【００１０】
前記した画像形成装置において、前記本体筐体は、第１リフトと第２リフトを備え、前記第１リフトは、前記移動カムと係合して、前記ドラムカートリッジを上方に移動させ、前記第２リフトは、前記移動カムと係合して、前記現像カートリッジを上方に移動させるように構成してもよい。
【００１１】
前記した画像形成装置において、前記第１リフトは、前記移動カムと接触する第１ドラム接触部を備えるように構成してもよい。
そして、前記移動カムは、前記第１方向に延びる第１ドラム離間面と、第１ドラム傾斜面と、第１ドラム接触面と、を有するように構成してもよい。
第１ドラム傾斜面は、前記第１ドラム離間面から前記中間転写ベルトに向けて延びて、前記第１方向に対して傾斜する。
第１ドラム接触面は、前記第１ドラム傾斜面から前記第１方向に延びて、上下方向において前記第１ドラム離間面よりも前記中間転写ベルトに近い。
前記第１ドラム傾斜面は、前記第１方向において、前記第１ドラム離間面と前記第１ドラム接触面の間に位置する。
そして、前記移動カムが前記第１位置に位置するとき、前記第１ドラム接触部が、前記第１ドラム離間面に接触する。
また、前記移動カムが前記第１位置から前記第２位置に移動する間に、前記第１ドラム接触部が、前記第１ドラム傾斜面に接触する。
さらに、前記移動カムが前記第２位置および前記第３位置に位置するとき、前記第１ドラム接触部が、前記第１ドラム接触面に接触する。
【００１２】
これによれば、カバーの開閉に連動して移動カムが移動すると、第１リフトの第１ドラム接触部が、第１ドラム離間面、第１ドラム傾斜面または第１ドラム接触面と接触することで第１リフトの高さ位置が変化し、ドラムカートリッジを所定の位置に位置決めすることができる。
【００１３】
前記した画像形成装置において、前記第２リフトは、前記移動カムと接触する第１現像接触部を備えるように構成してもよい。
そして、前記移動カムは、前記第１方向に延びる第１現像離間面と、第１現像傾斜面と、第１現像接触面と、を有するように構成してもよい。
第１現像傾斜面は、前記第１現像離間面から前記中間転写ベルトに向けて延びて、前記第１方向に対して傾斜する。
第１現像接触面は、前記第１現像傾斜面から前記第１方向に延びて、前記上下方向において前記第１現像離間面よりも前記中間転写ベルトに近い。
前記第１現像傾斜面は、前記第１方向において、前記第１現像離間面と前記第１現像接触面の間に位置する。
そして、前記移動カムが前記第１位置に位置するとき、前記第１現像接触部が、前記第１現像離間面に接触する。
また、前記移動カムが前記第１位置から前記第３位置に移動する間に、前記第１現像接触部が、前記第１現像傾斜面に接触する。
さらに、前記移動カムが前記第３位置に位置するとき、前記第１現像接触部が、前記第１現像接触面に接触する。
【００１４】
これによれば、カバーの開閉に連動して移動カムが移動すると、第２リフトの第１現像接触部が、第１現像離間面、第１現像傾斜面または第１現像接触面と接触することで第２リフトの高さ位置が変化し、現像カートリッジを所定の位置に位置決めすることができる。
【００１５】
前記した画像形成装置において、前記移動カムが前記第１位置から前記第３位置に向かって移動する移動方向において、前記第１ドラム接触面の下流端は、前記第１現像接触面の下流端よりも下流側に位置するように構成してもよい。
【００１６】
前記した画像形成装置において、前記移動カムは、第２ドラム離間面と、第２ドラム傾斜面と、第２ドラム接触面と、を有するように構成してもよい。
第２ドラム離間面は、前記第１方向において前記第１ドラム離間面と離れて位置する。
第２ドラム傾斜面は、前記第２ドラム離間面から前記中間転写ベルトに向けて延びる。また、第２ドラム傾斜面は、前記第１方向に対して傾斜するとともに、前記第１方向において前記第１ドラム傾斜面と離れて位置する。
第２ドラム接触面は、前記第２ドラム傾斜面から前記第１方向に延びる。また、第２ドラム接触面は、前記上下方向において前記第２ドラム離間面よりも前記中間転写ベルトに近く、前記第１方向において前記第１ドラム接触面と離れて位置する。
前記第２ドラム傾斜面は、前記第１方向において、前記第２ドラム離間面と前記第２ドラム接触面の間に位置する。
前記第１リフトは、前記移動カムと接触する第２ドラム接触部を備えるように構成してもよい。第２ドラム接触部は、前記第１方向において前記第１ドラム接触部と離れて位置する。
そして、前記移動カムが前記第１位置に位置するとき、前記第２ドラム接触部が、前記第２ドラム離間面に接触する。
また、前記移動カムが前記第１位置から前記第２位置に移動する間に、前記第２ドラム接触部が、前記第２ドラム傾斜面に接触する。
さらに、前記移動カムが前記第２位置および前記第３位置に位置するとき、前記第２ドラム接触部が、前記第２ドラム接触面に接触する。
【００１７】
前記した画像形成装置において、前記移動カムは、第２現像離間面と、第２現像傾斜面と、第２現像傾斜面と、を有するように構成してもよい。
第２現像離間面は、前記第１方向において前記第１現像離間面と離れて位置する。
第２現像傾斜面は、前記第２現像離間面から前記中間転写ベルトに向けて延びる。また、第２現像傾斜面は、前記第１方向に対して傾斜するとともに、前記第１方向において前記第１現像傾斜面と離れて位置する。
第２現像接触面は、前記第２現像傾斜面から前記第１方向に延びる。また、第２現像接触面は、前記上下方向において前記第２現像離間面よりも前記中間転写ベルトに近く、前記第１方向において前記第１現像接触面と離れて位置する。
前記第２現像傾斜面は、前記第１方向において、前記第２現像離間面と前記第２現像接触面の間に位置する。
前記第２リフトは、前記移動カムと接触する第２現像接触部を備えるように構成してもよい。第２現像接触部は、前記第１方向において前記第１現像接触部と離れて位置する。
そして、前記移動カムが前記第１位置に位置するとき、前記第２現像接触部が、前記第２現像離間面に接触する。
また、前記移動カムが前記第１位置から前記第３位置に移動する間に、前記第２現像接触部が、前記第２現像傾斜面に接触する。
さらに、前記移動カムが前記第３位置に位置するとき、前記第２現像接触部が、前記第２現像接触面に接触する。
【００１８】
これらの構成によれば、第１リフトが２つのドラム接触部を備え、第２リフトが２つの現像接触部を備え、移動カムが２つのドラム接触部と２つの現像接触部を押圧することになるので、ドラムカートリッジおよび現像カートリッジを安定して位置決めすることができる。
【００１９】
さらに、前記した画像形成装置において、前記移動カムが前記第１位置から前記第３位置に向かって移動する移動方向において、前記第２ドラム接触面の下流端は、前記第２現像接触面の下流端よりも下流側に位置するように構成してもよい。
【００２０】
前記した画像形成装置において、前記第１リフトは、ドラムガイド突起と、現像ガイド突起と、を有するように構成してもよい。
ドラムガイド突起は、前記第１方向に延び、前記ドラムカートリッジをガイドするためのものである。
現像ガイド突起は、前記第１方向に延び、前記現像カートリッジをガイドするためのものである。
そして、前記ドラムカートリッジは、前記ドラムガイド突起にガイドされるドラム溝を有するように構成してもよい。
また、前記現像カートリッジは、前記現像ガイド突起にガイドされる現像溝を有するように構成してもよい。
【００２１】
前記した画像形成装置において、前記現像ガイド突起は、ガイド孔を有し、前記第２リフトは、前記ガイド孔内を移動可能であるように構成してもよい。
【００２２】
これによれば、ドラムカートリッジおよび現像カートリッジを第１リフトにより中間転写ベルトに対して移動させて、中間転写ベルトに対する感光ドラムの位置決めが終了した後、現像カートリッジを第２リフトによりドラムカートリッジに対して移動させて、感光ドラムに対する現像ローラの位置決めを行うことができる。
【００２３】
前記した画像形成装置は、用紙を排紙するための排紙部であって、前記中間転写ベルトよりも上方に位置する排紙部を備えるように構成してもよい。
【００２４】
また、前記した画像形成装置は、用紙を給紙するための給紙部であって、前記移動カムよりも下方に位置する給紙部を備えるように構成してもよい。
【発明の効果】
【００２５】
本開示によれば、中間転写ベルトに対するドラムカートリッジの移動による中間転写ベルトと感光ドラムとの接触と、ドラムカートリッジに対する現像カートリッジの移動による感光ドラムと現像ローラとの接触を、モータを使用することなく、ユーザがカバーを開位置から閉位置に位置させる１つの動作によって実現することができる。
【図面の簡単な説明】
【００２６】
【図１】本開示の一実施形態に係るカラープリンタの概略構成を示す断面図である。
【図２】カバー、移動カム、第１リフトを説明する斜視図である。
【図３】移動カムの斜視図（ａ）と、移動カムの断面図（ｂ）である。
【図４】第１リフトおよび第２リフトの斜視図（ａ）と、第１リフトの断面図（ｂ）である。
【図５】移動カムが第１位置にあるときの説明図であり、第２方向に直交する面で切断した断面図（ａ）と、第１方向に直交する面で切断した拡大図（ｂ）である。
【図６】移動カムが第２位置にあるときの説明図であり、第２方向に直交する面で切断した断面図（ａ）と、第１方向に直交する面で切断した拡大図（ｂ）である。
【図７】移動カムが第３位置にあるときの説明図であり、第２方向に直交する面で切断した断面図（ａ）と、第１方向に直交する面で切断した拡大図（ｂ）である。
【発明を実施するための形態】
【００２７】
次に、本開示の一実施形態について、適宜図面を参照しながら詳細に説明する。なお、以下の説明においては、まず、画像形成装置の一例としてのカラープリンタ１の全体構成を説明する。
【００２８】
図１に示すように、カラープリンタ１は、本体筐体２と、給紙部３と、画像形成部４と、排紙部５と、を備える。給紙部３は、画像形成部４に用紙Ｐを供給する。画像形成部４は、用紙Ｐに画像を形成する。排紙部５は、用紙Ｐを排出する。
【００２９】
給紙部３は、本体筐体２内の下部に位置する。給紙部３は、給紙トレイ３１と、給紙機構３２と、を備える。給紙トレイ３１は、本体筐体２に着脱可能である。給紙機構３２は、用紙Ｐを給紙トレイ３１から画像形成部４に搬送する。
給紙部３は、後述する移動カム１１０よりも下方に位置する。
【００３０】
画像形成部４は、４つのドラムカートリッジ４０と、４つの現像カートリッジ５０と、露光装置ＳＵと、転写ユニット６０と、定着ユニット７０と、を備える。
【００３１】
各ドラムカートリッジ４０は、感光ドラム４１と、図示せぬ帯電器と、ドラムフレームＦ１を有する。感光ドラム４１は、第１方向に延びる第１軸Ｘ１について回転可能である。４つのドラムカートリッジ４０は、本体筐体２に装着された状態で、第１方向と交差する第２方向に並ぶ。
なお、第１方向は、上下方向に直交する方向であり、第２方向は、第１方向と上下方向に直交する方向である。上下方向は、鉛直方向のことである。
【００３２】
各現像カートリッジ５０は、現像ローラ５１と、現像フレームＦ２と、を有する。現像フレームＦ２は、現像剤を収容する。現像ローラ５１は、第１方向に延びる第２軸Ｘ２について回転可能である。
【００３３】
ドラムカートリッジ４０および現像カートリッジ５０は、ドラムカートリッジ４０および現像カートリッジ５０が本体筐体２に装着された状態において、第２方向に並んでいる。そして、図２に示すように、ドラムカートリッジ４０は、第１方向に本体筐体２に着脱可能となっている。同様に、現像カートリッジ５０は、第１方向に本体筐体２に着脱可能となっている。各ドラムカートリッジ４０は、同じ構造となっている。各現像カートリッジ５０は、同じ構造となっている。
【００３４】
露光装置ＳＵは、各ドラムカートリッジ４０の下に位置する。露光装置ＳＵは、レーザ光を各感光ドラム４１に出射する。
【００３５】
転写ユニット６０は、４つの感光ドラム４１と後述する排紙トレイ２１との間に位置する。転写ユニット６０は、駆動ローラ６１と、従動ローラ６２と、中間転写ベルト６３と、４つの１次転写ローラ６４と、２次転写ローラ６５と、を備える。
【００３６】
中間転写ベルト６３は、無端状のベルトである。中間転写ベルト６３は、ドラムカートリッジ４０および現像カートリッジ５０が本体筐体２に装着された状態において、ドラムカートリッジ４０および現像カートリッジ５０の上方に位置する。
【００３７】
１次転写ローラ６４は、中間転写ベルト６３の内側に位置する。１次転写ローラ６４と感光ドラム４１は、中間転写ベルト６３を挟む。
【００３８】
２次転写ローラ６５は、中間転写ベルト６３の外側に位置する。２次転写ローラ６５と駆動ローラ６１は、中間転写ベルト６３を挟む。
【００３９】
定着ユニット７０は、中間転写ベルト６３の上に位置する。定着ユニット７０は、加熱ローラ７１と、加圧ローラ７２と、を備える。加圧ローラ７２は、加熱ローラ７１に押圧される。
【００４０】
排紙部５は、本体筐体２の上部に位置する。排紙部５は、中間転写ベルト６３の上方に位置する。排紙部５は、排出ローラ９と、排紙トレイ２１と、を備える。排出ローラ９は、用紙Ｐを排紙トレイ２１に向けて搬送する。
【００４１】
カラープリンタ１では、まず帯電器が、感光ドラム４１の表面を帯電させる。その後、露光装置ＳＵが、感光ドラム４１の表面を露光する。これにより、感光ドラム４１上に静電潜像が形成される。
【００４２】
次いで、現像ローラ５１が、感光ドラム４１上の静電潜像に現像剤を供給する。これにより、感光ドラム４１上に現像剤像が形成される。そして、感光ドラム４１上の現像剤像は、中間転写ベルト６３上に転写される。
【００４３】
用紙Ｐが中間転写ベルト６３と２次転写ローラ６５の間を通過するときに、中間転写ベルト６３上の現像剤像は、用紙Ｐ上に転写される。その後、用紙Ｐ上の現像剤像は、定着ユニット７０で定着される。次いで、用紙Ｐは、排出ローラ９によって排紙トレイ２１に排出される。
【００４４】
本体筐体２は、開口２２Ａを有する。開口２２Ａは、ドラムカートリッジ４０および現像カートリッジ５０を第１方向に着脱する際に、各ドラムカートリッジ４０および各現像カートリッジ５０が通過することを許容する。
【００４５】
図２に示すように、カラープリンタ１はカバーＣを有する。カバーＣは、開口２２Ａを開閉するための部材である。カバーＣは、カバーＣの下端の両側の回転軸Ｃ１を中心に回動する。回転軸Ｃ１は、本体筐体２の軸受（図示せず）に挿入される。カバーＣは、開口２２Ａを開く開位置（図２に示す位置）と開口２２Ａを閉じる閉位置（図示せず）との間を移動可能である。
カバーＣは、一方の側部にアーム保持部Ｃ２を有している。アーム保持部Ｃ２は、後述するアーム１５２の円柱突起１５６が挿入される長穴Ｃ３を有する。
【００４６】
ドラムカートリッジ４０は、ドラムフレームＦ１に感光ドラム４１が回転可能に支持されている。また、ドラムカートリッジ４０は、ドラムフレームＦ１の底部に、第１方向に延びるドラム溝４２を有している。ドラム溝４２は、後述するドラムガイド突起１３３にガイドされる。
【００４７】
現像カートリッジ５０は、現像フレームＦ２に現像ローラ５１が回転可能に支持されている。また、現像カートリッジ５０は、現像フレームＦ２の底部に第１方向に延びる現像溝５２を有している。現像溝５２は、後述する現像ガイド突起１３４にガイドされる。
なお、現像カートリッジ５０の上下方向の大きさは、ドラムカートリッジ４０の上下方向の大きさよりも小さい。より詳細には、ドラムカートリッジ４０および現像カートリッジ５０が本体筐体２に装着された状態において、現像カートリッジ５０は、感光ドラム４１よりも低い位置に現像ローラ５１が位置するような大きさを有している。
【００４８】
本体筐体２は、移動カム１１０と、第１リフト１３０と、第２リフト１４０（図４参照）と、を備えている。
移動カム１１０は、ドラムカートリッジ４０および現像カートリッジ５０が本体筐体２に装着された状態において、ドラムカートリッジ４０および現像カートリッジ５０の下方に位置する。
移動カム１１０は、板状の部材である。移動カム１１０は、カバーＣの開位置から閉位置への移動に伴い、第１方向に移動可能である。詳細には、移動カム１１０は、アーム１５２を介して、カバーＣの開閉に連動して第１方向に移動可能である。
図３に示すように、移動カム１１０は、上面１１１と、移動カム１１０の側面に位置する円柱突起１１２を有する。移動カム１１０は、本体筐体２のガイド部２２Ｂ（図５参照）の上面を摺動する。
【００４９】
図２に示すように、アーム１５２は、一端部１５２Ａと他端部１５２Ｂを有している。
アーム１５２の一端部１５２Ａは、移動カム１１０の円柱突起１１２を回転可能に支持する貫通穴１５４を有している。アーム１５２の他端部１５２Ｂは、円柱突起１５６を有している。円柱突起１５６は、アーム保持部Ｃ２の長穴Ｃ３に挿入されている。
【００５０】
図３に示すように、移動カム１１０は、第１方向に離れた一組のドラム離間面１１４と、一組のドラム傾斜面１１６と、一組のドラム接触面１１８とを備えている。一組のドラム離間面１１４と、一組のドラム傾斜面１１６と、一組のドラム接触面１１８は、移動カム１１０の上面１１１に位置する。
一組のドラム離間面１１４は、開口２２Ａに近い第１ドラム離間面１１４Ａと、第１ドラム離間面１１４Ａよりも開口２２Ａから離れて位置する第２ドラム離間面１１４Ｂを含む。第１ドラム離間面１１４Ａおよび第２ドラム離間面１１４Ｂは、第１方向に延びている。第２ドラム離間面１１４Ｂは、第１方向において第１ドラム離間面１１４Ａと離れて位置する。
一組のドラム傾斜面１１６は、開口２２Ａに近い第１ドラム傾斜面１１６Ａと、第１ドラム傾斜面１１６Ａよりも開口２２Ａから離れて位置する第２ドラム傾斜面１１６Ｂを含む。第１ドラム傾斜面１１６Ａは、第１ドラム離間面１１４Ａから中間転写ベルト６３に向けて延びている。第１ドラム傾斜面１１６Ａは、第１方向に対して傾斜している。第２ドラム傾斜面１１６Ｂは、第１方向において第１ドラム傾斜面１１６Ａと離れて位置している。第２ドラム傾斜面１１６Ｂは、第２ドラム離間面１１４Ｂから中間転写ベルト６３に向けて延びている。また、第２ドラム傾斜面１１６Ｂは、第１方向に対して傾斜している。
第１ドラム傾斜面１１６Ａは、第１方向において、第１ドラム離間面１１４Ａと後述する第１ドラム接触面１１８Ａの間に位置している。同様に、第２ドラム傾斜面１１６Ｂは、第１方向において、第２ドラム離間面１１４Ｂと後述する第２ドラム接触面１１８Ｂの間に位置している。
なお、第１ドラム離間面１１４Ａと第１ドラム傾斜面１１６Ａの接続部分１１５Ａは湾曲面に形成され、後述する第１ドラム接触部１３５Ａが第１ドラム離間面１１４Ａと第１ドラム傾斜面１１６Ａの間を円滑に移動できるようになっている。同様に、第２ドラム離間面１１４Ｂと第２ドラム傾斜面１１６Ｂの接続部分１１５Ｂは湾曲面に形成され、後述する第２ドラム接触部１３５Ｂが第２ドラム離間面１１４Ｂと第２ドラム傾斜面１１６Ｂの間を円滑に移動できるようになっている。
一組のドラム接触面１１８は、開口２２Ａに近い第１ドラム接触面１１８Ａと、第１ドラム接触面１１８Ａよりも開口２２Ａから離れて位置する第２ドラム接触面１１８Ｂを含む。第１ドラム接触面１１８Ａは、第１ドラム傾斜面１１６Ａから第１方向に延びている。第１ドラム接触面１１８Ａは、上下方向において第１ドラム離間面１１４Ａよりも中間転写ベルト６３に近い。第２ドラム接触面１１８Ｂは、第１方向において第１ドラム接触面１１８Ａと離れて位置している。第２ドラム接触面１１８Ｂは、第２ドラム傾斜面１１６Ｂから第１方向に延びている。また、第２ドラム接触面１１８Ｂは、上下方向において第２ドラム離間面１１４Ｂよりも中間転写ベルト６３に近い。
なお、第１ドラム傾斜面１１６Ａと第１ドラム接触面１１８Ａの接続部分１１７Ａは湾曲面に形成され、後述する第１ドラム接触部１３５Ａが第１ドラム傾斜面１１６Ａと第１ドラム接触面１１８Ａの間を円滑に移動できるようになっている。同様に、第２ドラム傾斜面１１６Ｂと第２ドラム接触面１１８Ｂの接続部分１１７Ｂは湾曲面に形成され、後述する第２ドラム接触部１３５Ｂが第２ドラム傾斜面１１６Ｂと第２ドラム接触面１１８Ｂの間を円滑に移動できるようになっている。
【００５１】
また、移動カム１１０は、第１方向に離れた一組の現像離間面１２４と、一組の現像傾斜面１２６と、一組の現像接触面１２８と備えている。一組の現像離間面１２４と、一組の現像傾斜面１２６と、一組の現像接触面１２８は、移動カム１１０の上面１１１に位置する。
一組の現像離間面１２４は、一組のドラム離間面１１４に対応している。一組の現像離間面１２４は、一組のドラム離間面１１４よりも低い位置に形成されている。
一組の現像傾斜面１２６は、一組のドラム傾斜面１１６に対応している。一組の現像傾斜面１２６は、一組のドラム傾斜面１１６よりも低い位置に形成されている。
一組の現像接触面１２８は、一組のドラム接触面１１８に対応している。
一組の現像離間面１２４と、一組の現像傾斜面１２６と、一組の現像接触面１２８は、第２方向に離れて、それぞれ、４箇所ある。
【００５２】
一組の現像離間面１２４は、開口２２Ａに近い第１現像離間面１２４Ａと、第１現像離間面１２４Ａよりも開口２２Ａから離れて位置する第２現像離間面１２４Ｂを含む。第１現像離間面１２４Ａおよび第２現像離間面１２４Ｂは、第１方向に延びている。第２現像離間面１２４Ｂは、第１方向において第１現像離間面１２４Ａと離れて位置する。
一組の現像傾斜面１２６は、開口２２Ａに近い第１現像傾斜面１２６Ａと、第１現像傾斜面１２６Ａよりも開口２２Ａから離れて位置する第２現像傾斜面１２６Ｂを含む。第１現像傾斜面１２６Ａは、第１現像離間面１２４Ａから中間転写ベルト６３に向けて延びている。第１現像傾斜面１２６Ａは、第１方向に対して傾斜している。第２現像傾斜面１２６Ｂは、第１方向において第１現像傾斜面１２６Ａと離れて位置している。第２現像傾斜面１２６Ｂは、第２現像離間面１２４Ｂから中間転写ベルト６３に向けて延びている。また、第２現像傾斜面１２６Ｂは、第１方向に対して傾斜している。
第１現像傾斜面１２６Ａは、第１方向において、第１現像離間面１２４Ａと後述する第１現像接触面１２８Ａの間に位置している。同様に、第２現像傾斜面１２６Ｂは、第１方向において、第２現像離間面１２４Ｂと後述する第２現像接触面１２８Ｂの間に位置している。
一組の現像接触面１２８は、開口２２Ａに近い第１現像接触面１２８Ａと、第１現像接触面１２８Ａよりも開口２２Ａから離れて位置する第２現像接触面１２８Ｂを含む。第１現像接触面１２８Ａは、第１現像傾斜面１２６Ａから第１方向に延びている。第１現像接触面１２８Ａは、上下方向において第１現像離間面１２４Ａよりも中間転写ベルト６３に近い。第２現像接触面１２８Ｂは、第１方向において第１現像接触面１２８Ａと離れて位置している。第２現像接触面１２８Ｂは、第２現像傾斜面１２６Ｂから第１方向に延びている。また、第２現像接触面１２８Ｂは、上下方向において第２現像離間面１２４Ｂよりも中間転写ベルト６３に近い。
第１現像接触面１２８Ａは、第１ドラム接触面１１８Ａと同一面であり、第２現像接触面１２８Ｂは、第２ドラム接触面１１８Ｂと同一面である。
なお、現像離間面１２４と現像傾斜面１２６の接続部分と、現像傾斜面１２６と現像接触面１２８の接続部分を湾曲面に形成してもよい。
【００５３】
図４に示すように、第１リフト１３０は、移動カム１１０と係合して、ドラムカートリッジ４０を上方に移動させる部材である。第１リフト１３０は、上面１３１と下面１３２を有している。４つのドラムガイド突起１３３と、４つの現像ガイド突起１３４は、第１リフト１３０の上面１３１に位置する。また、第１リフト１３０は、移動カム１１０の上面１１１と接触する第１ドラム接触部１３５Ａおよび第２ドラム接触部１３５Ｂを備えている。第２ドラム接触部１３５Ｂは、第１方向において第１ドラム接触部１３５Ａと離れて位置する。より詳細には、第１方向における第１ドラム接触部１３５Ａと第２ドラム接触部１３５Ｂの間の距離は、例えば、第１方向における第１ドラム傾斜面１１６Ａと第２ドラム傾斜面１１６Ｂの間の距離と同じである。
各ドラムガイド突起１３３は、第１方向に延び、ドラムカートリッジ４０をガイドするためのものである。
各現像ガイド突起１３４は、第１方向に延び、現像カートリッジ５０をガイドするためのものである。各現像ガイド突起１３４の上下方向の高さは、各ドラムガイド突起１３３の上下方向の高さよりも低い。
また、各現像ガイド突起１３４は、ガイド孔１３６を有している。ガイド孔１３６は、第１方向に延び、第２リフト１４０を挿入するための貫通口である。図４（ｂ）に示すように、ガイド孔１３６は、第１部分１３６Ａと第２部分１３６Ｂを含む。第１部分１３６Ａは、現像ガイド突起１３４を上下に貫通する開口部である。第２部分１３６Ｂは、第１部分１３６Ａと連通して、第１ドラム接触部１３５Ａおよび第２ドラム接触部１３５Ｂを上下に貫通する開口部である。なお、第１リフト１３０は、ガイド孔１３６の内部に支持面１３７を有している。支持面１３７は、ガイド孔１３６に挿入された第２リフト１４０の抜け止めとして機能する、
なお、図５（ｂ）に示すように、第１リフト１３０、移動カム１１０およびガイド部２２Ｂは、露光装置ＳＵからのレーザ光が通過するための開口を有する。
【００５４】
第２リフト１４０は、移動カム１１０と係合して、現像カートリッジ５０を上方に移動させる部材である。第２リフト１４０は、ガイド孔１３６に挿入される。第２リフト１４０は、第１方向に延びる本体部１４１と、本体部１４１から下方に延びる第１現像接触部１４２および第２現像接触部１４４を備える。本体部１４１は、組み付け時に支持面１３７で支持される。第１現像接触部１４２および第２現像接触部１４４は、ガイド孔１３６の第２部分１３６Ｂを通って移動カム１１０の上面１１１と接触する。第２現像接触部１４４は、第１方向において第１現像接触部１４２と離れて位置する。第２リフト１４０は、ガイド孔１３６内を上下に移動可能である。
第２リフト１４０は、第１現像接触部１４２および第２現像接触部１４４の下端部が、第１ドラム接触部１３５Ａおよび第２ドラム接触部１３５Ｂの下端から下方に突出している（図５参照）。
【００５５】
図２および図５から図７を参照して、ドラムカートリッジ４０および現像カートリッジ５０の装着と、現像ローラ５１および感光ドラム４１の位置決め方法について説明する。
図２に示すように、カバーＣを開位置に位置させて開口２２Ａを露出させた状態で、ドラムカートリッジ４０および現像カートリッジ５０を本体筐体２に装着する。ドラムカートリッジ４０は、第１リフト１３０のドラムガイド突起１３３にドラム溝４２が嵌った状態で、第１リフト１３０の上面１３１に沿って第１方向に挿入される。同様に、現像カートリッジ５０は、第１リフト１３０の現像ガイド突起１３４に現像溝５２が嵌った状態で、第１リフト１３０の上面１３１に沿って第１方向に挿入される。
【００５６】
図５に示すように、カバーＣが開位置に位置するとき、移動カム１１０は、第１位置に位置する。
より詳細には、移動カム１１０が第１位置に位置するとき、第１ドラム接触部１３５Ａが、第１ドラム離間面１１４Ａに接触し、第２ドラム接触部１３５Ｂが、第２ドラム離間面１１４Ｂに接触する。このとき、第１リフト１３０は下降位置にあり、ドラムカートリッジ４０は、感光ドラム４１が中間転写ベルト６３から離間している。また、移動カム１１０が第１位置に位置するとき、第１現像接触部１４２が、第１現像離間面１２４Ａに接触し、第２現像接触部１４４が、第２現像離間面１２４Ｂに接触する。このとき、第２リフト１４０は、第１リフト１３０の上面から突出しないので、現像カートリッジ５０は、現像ローラ５１が感光ドラム４１から離間している。
つまり、カバーＣが開位置に位置するとき、移動カム１１０は第１位置に位置し、感光ドラム４１が中間転写ベルト６３から離間し、現像ローラ５１が感光ドラム４１から離間している。
【００５７】
図６に示すように、カバーＣが開位置から閉位置に移動する間に、移動カム１１０は、第２位置に位置する。
より詳細には、カバーＣを開位置から閉位置に向けて移動すると、アーム１５２により、移動カム１１０が第１方向に沿って開口２２Ａから離れるように移動する。そして、移動カム１１０が第１位置から第２位置に移動する間に、第１ドラム接触部１３５Ａが、第１ドラム傾斜面１１６Ａに接触し、第２ドラム接触部１３５Ｂが、第２ドラム傾斜面１１６Ｂに接触する。これにより、第１リフト１３０は、中間転写ベルト６３に向けて上昇していく。また、移動カム１１０が第１位置から第２位置に移動する間に、第１現像接触部１４２は第１現像傾斜面１２６Ａに接触し、第２現像接触部１４４が、第２現像傾斜面１２６Ｂに接触する。これにより、第２リフト１４０が、第１リフト１３０と共に中間転写ベルト６３に向けて上昇していく。
【００５８】
カバーＣが閉位置に向けてさらに移動すると、移動カム１１０が第１方向にさらに移動して第２位置に位置する。
移動カム１１０が第２位置に位置するとき、第１ドラム接触部１３５Ａが、第１ドラム接触面１１８Ａに接触し、第２ドラム接触部１３５Ｂが、第２ドラム接触面１１８Ｂに接触する。このとき、第１リフト１３０は、上昇位置にあり、第１リフト１３０に支持されたドラムカートリッジ４０は、感光ドラム４１が中間転写ベルト６３に接触する。
また、移動カム１１０が第２位置に位置するとき、第１現像接触部１４２は第１現像傾斜面１２６Ａに接触したままであり、第２現像接触部１４４は第２現像傾斜面１２６Ｂに接触したままである。換言すると、移動カム１１０が第１位置から第３位置に移動する間に、第１現像接触部１４２が、第１現像傾斜面１２６Ａに接触し、第２現像接触部１４４が、第２現像傾斜面１２６Ｂに接触する。このとき、第２リフト１４０は、第１リフト１３０の上面から突出しないので、現像カートリッジ５０は、現像ローラ５１が感光ドラム４１から離間したままである。
つまり、移動カム１１０が第２位置に位置するとき、感光ドラム４１が、中間転写ベルト６３と接触し、現像ローラ５１が、感光ドラム４１から離間している。
【００５９】
図７に示すように、カバーＣが閉位置に位置するとき、移動カム１１０は、第３位置に位置する。
より詳細には、移動カム１１０が第３位置に位置するとき、第１ドラム接触部１３５Ａが、第１ドラム接触面１１８Ａに接触し、第２ドラム接触部１３５Ｂが、第２ドラム接触面１１８Ｂに接触する。このとき、第１リフト１３０は、上昇位置にあり、第１リフト１３０に支持されたドラムカートリッジ４０は、感光ドラム４１が中間転写ベルト６３に接触したままである。また、移動カム１１０が第３位置に位置するとき、第１現像接触部１４２が、第１現像接触面１２８Ａに接触し、第２現像接触部１４４が、第２現像接触面１２８Ｂに接触する。このとき、第２リフト１４０は、ガイド孔１３６から上方に突出し、現像カートリッジ５０は、第２リフト１４０に押圧されて、ドラムカートリッジ４０に対して上昇する。そして、現像ローラ５１が感光ドラム４１と接触する。
つまり、移動カム１１０が第３位置に位置するとき、感光ドラム４１が、中間転写ベルト６３と接触し、現像ローラ５１が、感光ドラム４１と接触する。
【００６０】
なお、図３（ｂ）に示すように、移動カム１１０が第１位置から第３位置に向かって移動する移動方向において、第１ドラム接触面１１８Ａの下流端は、第１現像接触面１２８Ａの下流端よりも下流側に位置する。同様に、移動カム１１０が第１位置から第３位置に向かって移動する移動方向において、第２ドラム接触面１１８Ｂの下流端は、第２現像接触面１２８Ｂの下流端よりも下流側に位置する。
【００６１】
このような構成によると、先に第１ドラム接触部１３５Ａおよび第２ドラム接触部１３５Ｂが第１ドラム接触面１１８Ａおよび第２ドラム接触面１１８Ｂに乗り上げ、その後、第１現像接触部１４２および第２現像接触部１４４が第１現像接触面１２８Ａおよび第２現像接触面１２８Ｂに乗り上げることになるので、感光ドラム４１が中間転写ベルト６３と接触してから、現像ローラ５１が感光ドラム４１と接触することになる。
なお、第１ドラム接触面１１８Ａの下流端と第１現像接触面１２８Ａの下流端との距離、および第２ドラム接触面１１８Ｂの下流端と第２現像接触面１２８Ｂの下流端との距離を変更することで、感光ドラム４１と中間転写ベルト６３が接触してから、現像ローラ５１と感光ドラム４１が接触するタイミングを変更することができる。
【００６２】
以上によれば、本実施形態において以下のような効果を得ることができる。
中間転写ベルト６３に対するドラムカートリッジ４０の移動による中間転写ベルト６３と感光ドラム４１との接触と、ドラムカートリッジ４０に対する現像カートリッジ５０の移動による感光ドラム４１と現像ローラ５１との接触を、モータを使用することなく、ユーザがカバーＣを開位置から閉位置に位置させる１つの動作によって実現することができる。
【００６３】
カバーＣの開閉に連動して移動カム１１０が移動すると、第１リフト１３０の第１ドラム接触部１３５Ａが、第１ドラム離間面１１４Ａ、第１ドラム傾斜面１１６Ａまたは第１ドラム接触面１１８Ａと接触することで第１リフト１３０の高さ位置が変化し、ドラムカートリッジ４０を所定の位置に位置決めすることができる。
【００６４】
カバーＣの開閉に連動して移動カム１１０が移動すると、第２リフト１４０の第１現像接触部１４２が、第１現像離間面１２４Ａ、第１現像傾斜面１２６Ａまたは第１現像接触面１２８Ａと接触することで第２リフト１４０の高さ位置が変化し、現像カートリッジ５０を所定の位置に位置決めすることができる。
【００６５】
第１リフト１３０が２つのドラム接触部１３５Ａ，１３５Ｂを備え、第２リフトが２つの現像接触部１４２，１４４を備え、移動カム１１０が２つのドラム接触部１３５Ａ，１３５Ｂと２つの現像接触部１４２，１４４を押圧することになるので、ドラムカートリッジおよび現像カートリッジを安定して位置決めすることができる。
【００６６】
現像ガイド突起１３４がガイド孔１３６を有し、第２リフト１４０がガイド孔１３６内を移動可能であるので、ドラムカートリッジ４０および現像カートリッジ５０を第１リフト１３０により中間転写ベルト６３に対して移動させて、中間転写ベルト６３に対する感光ドラム４１の位置決めが終了した後、現像カートリッジ５０を第２リフト１４０によりドラムカートリッジ４０に対して移動させて、感光ドラム４１に対する現像ローラ５１の位置決めを行うことができる。
【００６７】
以上、本開示の実施形態について説明したが、本開示は上述した実施形態に限定されるものではない。具体的な構成については、本開示の趣旨を逸脱しない範囲で適宜変更が可能である。
【００６８】
上述の実施形態では、カバーの閉動作に連動して、第１リフト１３０がドラムカートリッジ４０および現像カートリッジ５０を中間転写ベルト６３に向けて上昇させ、第２リフト１４０が現像カートリッジ５０をさらに上昇させる構成としたが、本開示はこのような構成に限定されない。
例えば、移動カム１１０の上面１１１と係合してドラムカートリッジ４０を上方に移動させるドラムリフトと、移動カム１１０の上面１１１と係合して現像カートリッジ５０を上方に移動させる現像リフトが、独立して別々に移動可能な構成としてもよい。
このような構成において、ドラムリフトの上面にドラムガイド突起が位置し、現像リフトの上面に現像ガイド突起が位置していてもよい。
【００６９】
上述の実施形態では、第１リフト１３０がドラムガイド突起１３３と現像ガイド突起１３４を有し、ドラムカートリッジ４０がドラム溝４２を有し、現像カートリッジ５０が現像溝５２を有していたが、本開示はこのような構成に限定されない。例えば、ドラムガイド突起１３３に代えてドラムガイド溝を、ドラム溝４２に代えてドラム突起を採用してもよい。同様に、現像ガイド突起１３４に代えて現像ガイド溝を、現像溝５２に代えて現像突起を採用してもよい。また、これらを任意に組み合わせてもよい。
【００７０】
上述の実施形態では、移動カム１１０は、ドラム離間面１１４、ドラム傾斜面１１６、ドラム接触面１１８、現像離間面１２４、現像傾斜面１２６、現像接触面１２８を、それぞれ一組（２つ）ずつ有し、第１リフト１３０は、第１ドラム接触部１３５Ａと第２ドラム接触部１３５Ｂを備え、第２リフト１４０は、第１現像接触部１４２および第２現像接触部１４４を備えているが、本開示はこのような構成に限定されず、任意の数であってもよい。
例えば、移動カム１１０は、それぞれ１つずつのドラム離間面１１４、ドラム傾斜面１１６、ドラム接触面１１８、現像離間面１２４、現像傾斜面１２６、現像接触面１２８を有し、第１リフト１３０は、１つのドラム接触部のみを、第２リフト１４０は、１つの現像接触部のみを備える構成とすることもできる。
また、移動カム１１０は、現像離間面を有さない構成とすることもできる。
【００７１】
上述の実施形態では、カラープリンタ１に本開示を適用したが、本開示はこれに限定されず、その他の画像形成装置、例えばモノクロのプリンタ、複写機、複合機などに本開示を適用してもよい。
【００７２】
上述した実施形態および変形例で説明した各要素を、任意に組み合わせて実施してもよい。
【符号の説明】
【００７３】
１      カラープリンタ
２      本体筐体
２２Ａ  開口
Ｃ      カバー
４０    ドラムカートリッジ
４１    感光ドラム
５０    現像カートリッジ
５１    現像ローラ
６３    中間転写ベルト
１１０  移動カム
【図１】
2020144302.tif 000003
【図２】
2020144302.tif 000004
【図３】
2020144302.tif 000005
【図４】
2020144302.tif 000006
【図５】
2020144302.tif 000007
【図６】
2020144302.tif 000008
【図７】
2020144302.tif 000009